(57)【要約】【課題】照度を検出する光検出センサの断線状況を、コストアップを招来することなく、的確に検出する。【解決手段】照度を検出し、照度の違いに応じた検出値を出力する照度検出手段１４と、照度検出手段１４から出力される検出値が属する複数のモード選択領域、各モード選択領域に関連付けた運転モードからなるデータを記憶すると共に、照度検出手段１４が断線した際の検出値が属する断線領域を、その旨を報知する異常モードに関連付けて記憶する記憶手段１７と、照度検出手段１４から入力される検出値に基づいて、記憶手段１７に記憶したデータを参照し、属するモード選択領域を特定し、特定したモード選択領域から決定される運転モードに切り替え、照度検出手段１４から入力される検出値に基づいて、記憶手段１７に記憶したデータテーブルを参照し、断線領域に属すると判断することにより、異常モードを実行させる制御手段１８とを備えた構成とする。【選択図】図１
2008039582.tif 000002
【特許請求の範囲】
【請求項１】
照度を検出し、照度の違いに応じた検出値を出力する照度検出手段と、
前記照度検出手段から出力される検出値が属する複数のモード選択領域と、各モード選択領域に関連付けた運転モードとからなるデータを記憶する記憶手段と、
前記照度検出手段から入力される検出値に基づいて、前記記憶手段に記憶したデータを参照し、属するモード選択領域を特定し、特定したモード選択領域から決定される運転モードに切り替える制御手段と、
を備え、
前記記憶手段は、さらに、前記照度検出手段が断線した際の検出値が属する断線領域を、その旨を報知する異常モードに関連付けて記憶し、
前記制御手段は、前記照度検出手段から入力される検出値に基づいて、前記記憶手段に記憶したデータテーブルを参照し、断線領域に属すると判断することにより、異常モードを実行させることを特徴とする電気機器。
【請求項２】
前記照度検出手段に照射可能な照射手段をさらに備え、
前記制御手段は、前記照度検出手段から入力される検出値に基づいて断線領域に属すると判断する場合、前記照射手段により照度検出手段を照射させることを特徴とする請求項１に記載の電気機器。
【請求項３】
前記照射手段は、表示部を構成するＬＥＤからなることを特徴とする請求項２に記載の電気機器。
【発明の詳細な説明】
【技術分野】
【０００１】
本発明は、光検出センサを備えた電気機器、特に、光検出センサの断線を検出可能な機能を備えた電気機器に関するものである。
【背景技術】
【０００２】
従来、光検出センサを備えた電気機器として、電気湯沸かし器、炊飯器等があり、光検出センサで検出される照度に基づいて、就寝時に、表示手段（例えば、液晶パネルやＬＥＤ）の輝度を抑え、無駄な電力消費を抑制するようにしている（例えば、特許文献１参照）。
【０００３】
【特許文献１】特開２００４−２８４５０８号公報
【発明の開示】
【発明が解決しようとする課題】
【０００４】
しかしながら、前記従来の電気機器では、光検出センサが断線により故障しても、そのことを検出する手段を持たないため、照度の違いに拘わらず、通常通りに表示手段で表示されてしまうという問題がある。
【０００５】
そこで、本発明は、照度を検出する光検出センサの断線状況を、コストアップを招来することなく、的確に検出することのできる機能を備えた電気機器を提供することを課題とする。
【課題を解決するための手段】
【０００６】
本発明は、前記課題を解決するための手段として、電気機器を、照度を検出し、照度の違いに応じた検出値を出力する照度検出手段と、前記照度検出手段から出力される検出値が属する複数のモード選択領域と、各モード選択領域に関連付けた運転モードとからなるデータを記憶する記憶手段と、前記照度検出手段から入力される検出値に基づいて、前記記憶手段に記憶したデータを参照し、属するモード選択領域を特定し、特定したモード選択領域から決定される運転モードに切り替える制御手段とを備え、前記記憶手段は、さらに、前記照度検出手段が断線した際の検出値が属する断線領域を、その旨を報知する異常モードに関連付けて記憶し、前記制御手段は、前記照度検出手段から入力される検出値に基づいて、前記記憶手段に記憶したデータテーブルを参照し、断線領域に属すると判断することにより、異常モードを実行させるように構成したものである。
【０００７】
この構成により、照度検出手段で検出される照度に応じた検出値が入力されるので、属するモード選択領域を特定し、該当する運転モードを実行することができる。そして、照度検出手段から入力される検出値が断線領域に属すると判断すれば、異常モードを実行することにより照度検出手段の故障を検出することが可能である。
【０００８】
前記照度検出手段に照射可能な照射手段をさらに備え、前記制御手段は、前記照度検出手段から入力される検出値に基づいて断線領域に属すると判断する場合、前記照射手段により照度検出手段を照射させるようにするのが好ましい。
【０００９】
この構成により、照度が低下しているとしても、照射手段によって照度検出手段に照射するので、断線していれば検出値に変化が見られない。これにより、照度検出手段によって検出されて制御手段に入力される検出値が照度検出手段の断線によるものであるのか、あるいは、照度の低下によるものであるのかを的確に判別することが可能となる。
【００１０】
前記照射手段に、表示部を構成するＬＥＤを使用すると、既存の構成に新たな構成を付加することなく安価に形成することが可能となる点で好ましい。
【発明の効果】
【００１１】
本発明によれば、予めモード選択領域と運転モードとを関連付けて記憶させておくだけでなく、照度検出手段が断線した際の検出値が属する断線領域を異常モードと関連付けて記憶させているので、たとえ照度検出手段が断線したとしても的確に検出して誤動作を防止することができる。
【発明を実施するための最良の形態】
【００１２】
次に、本発明の実施形態について添付図面を参照しつつ説明する。
【００１３】
図１は、本実施形態に係る電気機器の一例である空気清浄機を示す。この空気清浄機は、大略、ベース１に、ファン２、モータ３及びフィルタホルダ４を取り付け、フロントパネル５、リアパネル６、サイドパネル７、及び、トップパネル８で覆った略立方体形状の構成である。
【００１４】
トップパネル８の前方側には表示部９が設けられている。表示部９には、複数の貫通孔が形成され、表面は透光性を有する保護カバー１０で覆われている。トップパネル８の下面には略矩形状に仕切る仕切壁が形成され、そこにはプリント基板１１が配設されている。プリント基板１１にはマイコン１２のほか、各種電子部品が実装され、図２に示すように、表示部９に形成した貫通孔に、表示部９であるＬＥＤ１３、照度検出手段である光検出センサ１４、スイッチ１５が位置決めされる。
【００１５】
ＬＥＤ１３は自動運転用及び手動運転用にそれぞれ用意された３つの運転モードに対応して設けられるほか、光検出センサ１４の動作状況、タイマー、光検出センサ１４による検出結果をそれぞれ示すためにそれぞれ設けられている。また、図示しない粒子センサによって空気がきれいであり、空気清浄する必要がないと判断した場合に「緑」が点灯されるきれいモニター用のＬＥＤ１３ａも設けられている。ＬＥＤ１３ａは、マイコン１２の出力ポート１から抵抗Ｒ１を介して、あるいは、出力ポート２から抵抗Ｒ２を介して電力が供給されることにより発光する（抵抗値の違いにより輝度が相違する。）。
【００１６】
光検出センサ１４は、照射される光を電気信号に変換してマイコン１２へと出力するもので、例えば、フォトダイオード、フォトトランジスタ等の受光素子のみで構成されている（図２ではフォトダイオードが使用されている。）。光検出センサ１４は、きれいモニター用のＬＥＤ１３から発光される光を直接受光可能に配置されている。そして、光検出センサ１４からの出力信号は、抵抗Ｒ３によって分圧され、抵抗Ｒ４及びコンデンサＣからなるノイズフィルタ１６を介してマイコン１２の入力ポートに入力される。
【００１７】
スイッチ１５には、「切／入選択」スイッチ１５、「切タイマー」スイッチ１５が設けられ、マイコン１２のＡＤ入力ポートに接続されている。マイコン１２は、「切／入選択」スイッチ１５の操作により、「切」から「入」とし、空調制御を開始し、さらに操作回数に応じて運転モードを選択する。また、「切タイマー」スイッチ１５の操作により、自動的に停止するように設定する。さらに、連続して所定時間（ここでは３秒）押し続けることにより、「光検出センサ運転」モードに切り替える。「光検出センサ運転」モードでは、光検出センサ１４での検出信号に基づいてＬＥＤ１３の輝度を調整する。
【００１８】
マイコン１２は、記憶部１７及び制御部１８を備える。記憶部１７には、００〜ＦＦの合計２５６段階の照度を判別するためのデータが記憶されている。ここでは、００〜０１を、光検出センサ１４での断線であると判断する断線領域とし、断線異常モードと関連付けて記憶している。また、ＦＣ〜ＦＦを、光検出センサ１４での短絡であると判断する短絡領域とし、短絡異常モードと関連付けて記憶している。制御部１８は、光検出センサ１４、スイッチ１５等の入力信号に基づいて、前記記憶部１７に記憶したデータを参照することにより、モータ３の駆動、ＬＥＤ１３の点灯・消灯等を制御する。
【００１９】
【表１】
2008039582.tif 000003
【００２０】
次に、前記構成からなる空気清浄機の制御、特に、光検出センサ１４が断線により故障した場合の制御について説明する。
【００２１】
光検出センサ１４での検出値（Ａ／Ｄ値）を読み込み（ステップＳ１）、この検出値が第１設定値（ＦＣｈ）よりも大きいか否かを判断する（ステップＳ２）。第１設定値には、太陽からの自然光が照射された場合の検出値（Ｅ１）よりも十分に大きな値を使用している。
【００２２】
検出値が第１設定値よりも大きい場合、光検出センサ１４で短絡していると判断し、ブザーを鳴らしたり、ＬＥＤ１３を点灯させたりすることによりユーザに報知する（ステップＳ９）。
【００２３】
検出値が第１設定値以下である場合、さらに第２設定値以下であるか否かを判断する（ステップＳ３）。第２設定値には、光検出センサ１４が断線していると判断可能な値（０１ｈ）を使用している。検出値が第２設定値以下である場合、光検出センサ１４で断線していると判断する前に、きれいモニター用のＬＥＤ１３を点灯する（ステップＳ４）。ＬＥＤ１３から照射された光は光検出センサ１４で受光されるので、ここで光検出センサ１４での検出値を読み込む（ステップＳ５）。そして、再度、光検出センサ１４での検出値が第２設定値以下であるか否かを判断する（ステップＳ６）。このように、一旦、光検出センサ１４での検出値が第２設定値以下であるか否かを判断した後、モニター用のＬＥＤ１３を点灯し、再度同様な判断を行うようにしているので、就寝時等、照度の低い状態での光検出センサ１４の検出信号を、光検出センサ１４が断線していると誤って判断することを防止することができる。
【００２４】
そして、前記ステップＳ６で、検出値が第２設定値以下であると判断された場合（ステップＳ６：ＹＥＳ）、光検出センサ１４が断線により故障していると判断し、前記ステップＳ９と同様にして、その旨をユーザに報知する（ステップＳ８）。
【００２５】
また、前記ステップＳ６で、検出値が第２設定値よりも大きく、光検出センサ１４が正常に機能していると判断した場合（ステップＳ６：ＮＯ）、通常運転を実施する（ステップＳ７）。すなわち、ノイズフィルタ１６を介してマイコン１２のＡＤ入力ポートへと入力される照度に応じた電圧値に基づいて、モータ３に印加する電圧値を変更し、ファン２による送風量を調整する。例えば、照度が低くなれば、就寝時であると判断し、ファン２による送風量を自動的に少なくする。
【図面の簡単な説明】
【００２６】
【図１】本実施形態に係る空気清浄機を示す分解斜視図である。
【図２】図１に示す表示部の正面図である。
【図３】図１に示す光検出センサの周辺回路図である。
【図４】本実施形態に係る空気清浄機に於ける光検出センサの故障検出のための制御を示すフローチャートである。
【符号の説明】
【００２７】
１…ベース
２…ファン
３…モータ
４…フィルタホルダ
５…フロントパネル
６…リアパネル
７…サイドパネル
８…トップパネル
９…表示部
１０…保護カバー
１１…プリント基板
１２…マイコン
１３…ＬＥＤ
１４…光検出センサ（照度検出手段）
１５…スイッチ
１６…ノイズフィルタ
１７…記憶部
１８…制御部
【図１】
2008039582.tif 000004
【図２】
2008039582.tif 000005
【図３】
2008039582.tif 000006
【図４】
2008039582.tif 000007